(57)【要約】      （修正有）【課題】人の頭部に適度な刺激を与え、凸凹部分の凹部を設けたことにより通気性がよくなり、頭部と枕の蒸れを抑制する硬質就寝用枕を提供する。【解決手段】幅の長さが異なる略角棒を平行に並べて人の頭部を載せられる略直方体形状に形成した就寝用の硬質枕であって、幅の長さが異なる略角棒を平行に並べることによって全体として枕状面の少なくとも中心部に短手方向に凸凹が形成されており、各々の略角棒は相互に固定されていることを特徴とする硬質就寝用枕。【選択図】図２
2020065688.tif 000002
【特許請求の範囲】
【請求項１】
人の頭部を載せられる略直方体形状に形成した就寝用の硬質枕であって、枕の表面上に２以上の略球状の全部若しくは一部分又は略多角形柱が固定させて設置されていることを特徴とする硬質就寝用枕。
【請求項２】
幅の長さが異なる略角棒を平行に並べて人の頭部を載せられる略直方体形状に形成した就寝用の硬質枕であって、幅の長さが異なる略角棒を平行に並べることによって全体として枕状面の少なくとも中心部に短手方向に凸凹が形成されており、各々の略角棒は相互に固定されていることを特徴とする硬質就寝用枕。
【請求項３】
幅の長さが異なる略丸棒を平行に並べて人の頭部を載せられる略直方体形状に形成した就寝用の硬質枕であって、直径の長さが異なる略丸棒を平行に並べることによって全体として枕状面の少なくとも中心部に短手方向に凸凹が形成されており、各々の略丸棒は相互に固定されていることを特徴とする硬質就寝用枕。
【請求項４】
２以上の略球状の全部若しくは一部分又は略多角形柱が平面方向に連続して繋がって固定されていることを特徴とする硬質就寝用枕。
【発明の詳細な説明】
【技術分野】
【０００１】
本発明は、檜、桜や杉などの自然木や集積材及び樹脂等を材料とする硬質就寝用枕に関する。
【背景技術】
【０００２】
従来から、樫や杉などの自然木から成る木製の枕は知られている。例えば、特開２−８８０１２号公報、特許第３０１００４２号公報などに木製の就寝用枕は開示されている。
【発明の概要】
【発明が解決しようとする課題】
【０００３】
これまでの先行技術は、木製の枕の通気性を向上させるものや、就寝中に利用者の頭部が木製の枕から落ちることを防止するものなどが開示されている。
しかし、木製の枕の硬さの利点を生かすものは無かった。
【課題を解決するための手段】
【０００４】
本発明がその技術的課題を解決するために用いる本発明の技術的手段は、次のようなものである。
【０００５】
すなわち、人の頭部を載せられる略直方体形状に形成した就寝用の硬質枕であって、枕の表面上に２以上の略球状の全部若しくは一部分又は略多角形柱が固定させて設置されていることを特徴とする硬質就寝用枕。
【０００６】
幅の長さが異なる略角棒を平行に並べて人の頭部を載せられる略直方体形状に形成した就寝用の硬質枕であって、幅の長さが異なる略角棒を平行に並べることによって全体として枕状面の少なくとも中心部に短手方向に凸凹が形成されており、各々の略角棒は相互に固定されていることを特徴とする硬質就寝用枕、としても良い。
【０００７】
幅の長さが異なる略丸棒を平行に並べて人の頭部を載せられる略直方体形状に形成した就寝用の硬質枕であって、直径の長さが異なる略丸棒を平行に並べることによって全体として枕状面の少なくとも中心部に短手方向に凸凹が形成されており、各々の略丸棒は相互に固定されていることを特徴とする硬質就寝用枕、としても良い。
【０００８】
２以上の略球状の全部若しくは一部分又は略多角形柱が平面方向に連続して繋がって固定されていることを特徴とする硬質就寝用枕、としても良い。
【０００９】
以下、添付図面及び実施例を組み合わせて本発明を更に説明する。
【発明の効果】
【００１０】
このような硬質枕の形状により、人の頭部に適度な刺激を与えることができ、凸凹部分の凹部を設けたことにより通気性がよくなり、頭部と枕の蒸れを抑制する効果がある。
【図面の簡単な説明】
【００１１】
【図１】本発明の枕の表面上に略球状を有する硬質枕の構造を示す斜視図
【図２】本発明の略角棒を平行に並べた硬質枕を示す斜視図
【図３】本発明の略丸棒を平行に並べた硬質枕を示す斜視図
【図４】本発明の硬質枕に枕カバーを取り付けた状態を示す参考図
【発明を実施するための形態１】
【００１２】
図１は、本発明の実施形態１の枕の表面上に略球状の一部を有する硬質枕の構造を示す斜視図である。木製の就寝用枕は、例えば、檜、桜、樫や杉などの自然木や集積材及び樹脂等を材料とする。
【００１３】
この人の頭部を載せられる略直方体形状に形成した就寝用の硬質枕の寸法は、高さが１〜１０ｃｍ、幅が８ｃｍ〜３０ｃｍ、長さが２０ｃｍ〜１３０ｃｍとなるように形成されている。この表面上に、２以上の略球状の全部若しくは一部分又は略多角形柱が固定させて設置されている。
【００１４】
図１では、略球状の一部分は、半球状のものが８５個程度、略直方体形状に形成した就寝用の硬質枕に固定されているものである。固定方法は、ネジや接着剤での固定でも良く、また、削りだしで、表面に２以上の略球状の全部若しくは一部分又は略多角形柱が固定させるものであっても良い。
【００１５】
略球状は、楕円形の球、真球、形の崩れた球状のものであっても良い。略球状の一部分とは、略半球であっても良く、お椀状のものであっても良く、表面上に凸凹が形成されればよい。略多角形柱は、三角柱や四角柱など何角形のものであっても良く、各多角形柱の上部表面に丸みを形成しても良く、その形が崩れていても良く、表面上に凸凹が形成されればよい。
【００１６】
前記略球状の全部若しくは一部分又は略多角形柱の１つは、直径や直径に相当する長さが５ｍｍから１６ｃｍの範囲で適宜選択できるものとする。また、前記略球状の全部若しくは一部分又は略多角形柱のそれぞれの固定間隔は、略球状のものであればぴったりと接するように配置しても良く、略多角形柱の場合には、その外側の間隔として約２ｍｍから１６ｃｍの範囲で適宜選択できるものとする。
【発明を実施するための形態２】
【００１７】
本発明の実施形態２の木製の就寝用枕は、幅の長さが異なる略角棒を平行に並べて人の頭部を載せられる略直方体形状に形成した就寝用の硬質枕であって、幅の長さが異なる略角棒を平行に並べることによって全体として枕状面の少なくとも中心部に短手方向に凸凹が形成されており、各々の略角棒は相互に固定されていることを特徴とする硬質就寝用枕である（図２）。
【００１８】
この人の頭部を載せられる略直方体形状に形成した就寝用の硬質枕の寸法は、高さが１〜１０ｃｍ、幅が８ｃｍ〜３０ｃｍ、長さが２０ｃｍ〜１３０ｃｍとなるように形成されている。
【００１９】
各々の略角棒は相互に固定されているが、その固定方法は、各々の略角棒の側面に２か所以上の孔を設けて、各々の略角棒に垂直方向に横軸となる棒状のもの、紐などを通して固定することや、各々の略角棒に接着剤を用いて直接に固定する方法でも良い。
【００２０】
幅の長さが異なる略角棒は、幅の大きい略棒状のものがその幅を１〜１０ｃｍの範囲から適宜選択できる数値として、幅の小さい略棒状のものが幅の大きいものと比較して、短い長さとする。例えば、幅の大きい略棒状のものの幅を６ｃｍとする四角柱として、幅の小さい略棒状のものの幅を３ｃｍと四角柱とすることが挙げられる。
【００２１】
幅の大小が異なる略角棒を交互に配置固定して、人の頭部を載せられる略直方体形状に形成した就寝用の硬質枕とする（図２）。このような配置によって、就寝用の硬質枕の表面上に凸凹が構成されるものとなる。
【００２２】
各略角棒の長さは、８ｃｍ〜３０ｃｍの範囲から適宜選択できる長さとする。また、各略角棒を複数本用いて平行に並べて、長さが２０ｃｍ〜１３０ｃｍとなるように形成する。
【発明を実施するための形態３】
【００２３】
本発明の実施形態３の木製の就寝用枕は、幅の長さが異なる略丸棒を平行に並べて人の頭部を載せられる略直方体形状に形成した就寝用の硬質枕であって、幅の長さが異なる略丸棒を平行に並べることによって全体として枕状面の少なくとも中心部に短手方向に凸凹が形成されており、各々の略丸棒は相互に固定されていることを特徴とする硬質就寝用枕である（図３）。
【００２４】
この人の頭部を載せられる略直方体形状に形成した就寝用の硬質枕の寸法は、高さが１〜１０ｃｍ、幅が８ｃｍ〜３０ｃｍ、長さが２０ｃｍ〜１３０ｃｍとなるように形成されている。
【００２５】
各々の略丸棒は相互に固定されているが、その固定方法は、各々の略丸棒の側面に２か所以上の孔を設けて、各々の略丸棒に垂直方向に横軸となる棒状のもの、紐などを通して固定する方法でも良い。
【００２６】
幅の長さが異なる略丸棒は、幅の大きい略丸状のものがその幅を１〜１０ｃｍの範囲から適宜選択できる数値として、幅の小さい略丸状のものが幅の大きいものと比較して、短い長さとする。例えば、幅の大きい略丸状のものの幅（直径）を６ｃｍとする円柱として、幅の小さい略丸状のものの幅（直径）を３ｃｍと円柱とすることが挙げられる。
【００２７】
幅の大小が異なる略丸棒を交互に配置固定して、人の頭部を載せられる略直方体形状に形成した就寝用の硬質枕とする（図３）。このような配置によって、就寝用の硬質枕の表面上に凸凹が構成されるものとなる。
【００２８】
各略丸棒の長さは、８ｃｍ〜３０ｃｍの範囲から適宜選択できる長さとする。また、各略丸棒を複数本用いて平行に並べて、長さが２０ｃｍ〜１３０ｃｍとなるように形成する。
【００２９】
また、略丸棒は、円柱形でもよく、楕円形状の柱であっても、その組み合わせでも良い。
【００３０】
また、各略角柱や各丸棒は、混ぜ合わせて使用しても良く、例えば、幅の大きい略角柱と幅の狭い丸棒を交互に組み合わせて、全体として短手方向に凸凹のある硬質枕としても良い。
【００３１】
また、各略角柱や各丸棒を平行に並べた際に、２ｍｍから５ｃｍ程度の空隙を設けて、全体として短手方向に凸凹のある硬質枕としても良い。
【００３２】
また、前記の硬質枕に、布製などの枕カバーを取り付けて使用しても良い（図４）。
【００３３】
また、既存の柔らかい枕に、前記の硬質枕を取り付けて使用しても良い（図５）。
【図１】
2020065688.tif 000003
【図２】
2020065688.tif 000004
【図３】
2020065688.tif 000005
【図４】
2020065688.tif 000006